(57)【要約】【課題】  夜間におけるインテリアとしての魅力を高めることができるテーブルユニットを提供すること。【解決手段】  支持ベーステーブル４と、保持テーブルの保持孔に対応して支持ベーステーブル４に取り付けられるコースター２４と、を備えたテーブルユニット。コースター２４は、載置表面を有するコースター本体３０と、このコースター本体３０の底面に取り付けられるベース部材３２とを備え、コースター本体３０は遮光性を有し、ベース部材３２は光透過性を有しており、またコースター２４に関連して、照明手段４４が支持ベーステーブル４に設けられ、ベース部材３２が照明手段４４に対向して配置されており、照明手段４４からの照明光を利用してベース部材３２が照明し、これによって、コースター本体３０が支持ベーステーブル４から浮き上がったように見える。【選択図】  図２
2005350037.tif 000002
【特許請求の範囲】
【請求項１】
テーブルに取り付けられるコースターであって、容器が載置されるコースター本体と、このコースター本体の底面に取り付けられたベース部材とを備え、前記コースター本体は光遮光性を有し、前記ベース部材は光透過性を有し、前記ベース部材が照明手段に対向して配設されることを特徴とするコースター。
【請求項２】
前記ベース部材は透明乃至半透明の材料から形成され、このベース部材の周側面及び／又は底面には微小凹凸が設けられていることを特徴とする請求項１に記載のコースター。
【請求項３】
取付本体に取り付けられる支持ベーステーブルと、この支持ベーステーブルの上方に配設される保持テーブルと、保持テーブルの保持孔に対応して前記支持ベーステーブルに取り付けられるコースターと、を備えたテーブルユニットにおいて、
前記コースターは、載置表面を有するコースター本体と、このコースター本体の底面に取り付けられるベース部材とを備え、前記コースター本体は遮光性を有し、前記ベース部材は光透過性を有しており、また前記コースターに関連して、照明のための照明手段が前記支持ベーステーブルに設けられており、前記ベース部材が前記照明手段に対向して配置されることを特徴とするテーブルユニット。
【請求項４】
前記支持ベーステーブルには照明取付孔が設けられ、前記照明手段は前記照明取付孔に内蔵され、前記コースターは前記ベース部材が前記照明手段を覆うように前記支持ベーステーブルに取り付けられることを特徴とする請求項３に記載のテーブルユニット。
【請求項５】
前記照明取付孔を覆うように色付きフィルムが配設されていることを特徴とする請求項３又は４に記載のテーブルユニット。
【請求項６】
前記支持ベーステーブルには照明取付部が設けられ、前記照明手段は前記照明取付部に取り付けられ、前記コースターは前記ベース部材の周側面が前記照明手段に対向するように前記支持ベーステーブルに取り付けられることを特徴とする請求項３に記載のテーブルユニット。
【請求項７】
前記ベース部材は透明乃至半透明の材料から形成され、このベース部材の周側面及び／又は底面には微小凹凸が設けられていることを特徴とする請求項３〜６のいずれかに記載のテーブルユニット。
【請求項８】
前記コースター本体の底面には、光を反射するための反射面が設けられていることを特徴とする請求項３〜７のいずれかに記載のテーブルユニット。
【請求項９】
前記保持テーブルの前記保持孔にはリング状の保持部材が装着され、前記保持部材の内周面にはリング状弾性部材が装着されていることを特徴とする請求項３〜８のいずれかに記載のテーブルユニット。
【請求項１０】
前記取付本体は車両本体であり、前記支持ベーステーブルは車室内用テーブルであることを特徴とする請求項３〜９のいずれかに記載のテーブルユニット。
【発明の詳細な説明】
【技術分野】
【０００１】
本発明は、飲料用カップ、飲料用ペットボトル、飲料用缶などを載置するためのコースター及びこれを備えたテーブルユニットに関する。
【背景技術】
【０００２】
近年、２０〜３０才代の若い人達の間には、車室空間が大きいワゴンタイプなどの自動車が人気があり、その販売シェアが上昇している。このような人達は、車室空間においても自分の個性を表現することを好んでおり、このような背景から、車室空間のインテリアを所有者の好みに合わせるための各種インテリアパーツが市販されている。
【０００３】
このような車室空間用インテリアパーツの一つとして車室用テーブルが市販されている。この車室用テーブル（所謂「フロントテーブル」として市販されている）は、助手席側のダッシュボードの前側に取り付けられ、車両本体に取り付けられる支持ベーステーブルと、支持ベーステーブルに支持脚を介して取り付けられた保持テーブルとを備え、保持テーブルには飲料用ペットボトルなどを保持するための保持孔が設けられ、また支持ベーステーブルには保持孔に対応してコースターが取り付けられ、保持テーブルの保持孔に保持された飲料用ペットボトルがコースターに載置されるようになっている。
【発明の開示】
【発明が解決しようとする課題】
【０００４】
このような車室用テーブルは、車室空間のインテリアとしての役割を果たしているが、夜間などにおいてインテリアとしての魅力が充分でなく、更なる改良が望まれていた。
【０００５】
本発明の目的は、夜間におけるインテリアとしての魅力を高めることができるテーブルユニットを提供することである。
また、本発明の他の目的は、このようなテーブルユニットに好都合に用いることができるコースターを提供することである。
【課題を解決するための手段】
【０００６】
本発明の請求項１に記載のコースターは、テーブルに取り付けられるコースターであって、容器が載置されるコースター本体と、このコースター本体の底面に取り付けられたベース部材とを備え、前記コースター本体は遮光性を有し、前記ベース部材は光透過性を有し、前記ベース部材が照明手段に対向して配設されることを特徴とする。
【０００７】
また、本発明の請求項２に記載のコースターでは、前記ベース部材は透明乃至半透明の材料から形成され、このベース部材の周側面及び／又は底面には微小凹凸が設けられていることを特徴とする。
【０００８】
また、本発明の請求項３に記載のテーブルユニットは、取付本体に取り付けられる支持ベーステーブルと、この支持ベーステーブルの上方に配設される保持テーブルと、保持テーブルの保持孔に対応して前記支持ベーステーブルに取り付けられるコースターと、を備えたテーブルユニットにおいて、
前記コースターは、載置表面を有するコースター本体と、このコースター本体の底面に取り付けられるベース部材とを備え、前記コースター本体は遮光性を有し、前記ベース部材は光透過性を有しており、また前記コースターに関連して、照明のための照明手段が前記支持ベーステーブルに設けられており、前記ベース部材が前記照明手段に対向して配置されることを特徴とする。
【０００９】
また、本発明の請求項４に記載のテーブルユニットでは、前記支持ベーステーブルには照明取付孔が設けられ、前記照明手段は前記照明取付孔に内蔵され、前記コースターは前記ベース部材が前記照明手段を覆うように前記支持ベーステーブルに取り付けられることを特徴とする。
【００１０】
また、本発明の請求項５に記載のテーブルユニットでは、前記照明取付孔を覆うように色付きフィルムが配設されていることを特徴とする。
また、本発明の請求項６に記載のテーブルユニットでは、前記支持ベーステーブルには照明取付部が設けられ、前記照明手段は前記照明取付部に取り付けられ、前記コースターは前記ベース部材の周側面が前記照明手段に対向するように前記支持ベーステーブルに取り付けられることを特徴とする。
【００１１】
また、本発明の請求項７に記載のテーブルユニットでは、前記ベース部材は透明乃至半透明の材料から形成され、このベース部材の周側面及び／又は底面には微小凹凸が設けられていることを特徴とする。
【００１２】
また、本発明の請求項８に記載のテーブルユニットでは、前記コースター本体の底面には、光を反射するための反射面が設けられていることを特徴とする。
また、本発明の請求項９に記載のテーブルユニットでは、前記保持テーブルの前記保持孔にはリング状の保持部材が装着され、前記保持部材の内周面にはリング状弾性部材が装着されていることを特徴とする。
【００１３】
更に、本発明の請求項１０に記載のテーブルユニットでは、前記取付本体は車両本体であり、前記支持ベーステーブルは車室内用テーブルであることを特徴とする。
【発明の効果】
【００１４】
本発明の請求項１に記載のコースターによれば、コースター本体が遮光性を有し、コースター本体の下側に取り付けられるベース部材が光透過性を有し、このベース部材が照明手段に対向して配設されるので、照明手段からの照明光はベース部材に向けて照射され、かく照射された光は、コースター本体を通ることなく、ベース部材内を通ってその周側面から外部に放射される。従って、照明手段からの照明光を利用してこのベース部材が環状に照明し、コースター本体がこの照明光で浮き上がってように見え、コースターのインテリア性を非常に高めることができる。尚、照明手段としては、例えば各種色の発光ダイオード（ＬＥＤ）を用いることができ、照明手段からの照明光は、ベース本体の底面側から、又はその周側面側から投射される。
【００１５】
また、本発明の請求項２のコースターによれば、ベース部材が透明乃至半透明の材料から形成され、このベース部材の周側面及び／又は底面に微小凹凸が設けられているので、照明手段からの照明光はこれら微小凹凸によって乱反射して拡散され、ベース部材の周側面から外部に効率良く放射することができ、このベース部材の周側面を環状にきれいに照明することができる。
【００１６】
また、本発明の請求項３に記載のテーブルユニットによれば、支持ベースプレートに上述したコースターが取り付けられているので、照明手段からの照明光を利用してコースター本体が光で浮き上がってように見え、コースターを含むテーブルユニットのインテリア性を非常に高め、車室空間の雰囲気を一層魅力的なものにすることができる。また、保持テーブルの保持孔に飲料用ペットボトルなどの容器を保持すると、この容器の底部がコースター本体の載置表面に保持されるので、ベース部材から放射される照明光によって容器の底部も照らされ、容器の場所も容易に知ることができる。
【００１７】
また、本発明の請求項４に記載のテーブルユニットによれば、支持ベーステーブルに設けられた照明取付孔に照明手段が内蔵され、この照明手段を覆うようにコースターのベース部材が取り付けられるので、照明手段が外部に露出することがなく、車室空間のインテリアを損なうことなくきれいに仕上げることができる。
【００１８】
また、本発明の請求項５に記載のテーブルユニットによれば、照明取付孔を覆うように色付きフィルムが配設されているので、照明手段からの照明光を好みの色にすることができ、これによって、コースターのベース部の照明色を所望の色、例えば青色、赤色、緑色などにすることができる。
【００１９】
また、本発明の請求項６に記載のテーブルユニットによれば、支持ベーステーブルに照明取付部が設けられ、この取付部に照明手段が取り付けられ、照明手段がベース部材の周側面を照明するので、このように構成しても照明手段の照明光を利用してベース部の周側面を光らせることができる。
【００２０】
また、本発明の請求項７に記載のテーブルユニットによれば、透明乃至半透明材料から形成されたベース部材の周側面及び／又は底面に微小凹凸が設けられているので、ベース部材の周側面から外部に効率良く放射することができ、このベース部材の周側面を環状にきれいに光らせることができる。
【００２１】
また、本発明の請求項８に記載のテーブルユニットによれば、コースター本体の底面に光反射面が設けられているので、照明手段からベース部に照射された光はこの光反射面により反射され、照射光を効率良くその外周面から外部に放出することができ、ベース部材の周側面を一層きれいに照明することができる。
【００２２】
また、本発明の請求項９に記載のテーブルユニットによれば、飲料用ペットボトルなどの容器を保持するための保持テーブルの保持孔に保持部材が装着され、この保持部材にリング状弾性部材が装着されているので、保持孔に保持された容器は弾性部材に当接し、振動などによって容器が振れても音、振動などが発生することがない。
【００２３】
また、本発明の請求項１０に記載のテーブルユニットによれば、支持ベーステーブルが車両本体に取り付けられるので、この支持ベーステーブルを車室用テーブルとして好都合に用いることができる。
【発明を実施するための最良の形態】
【００２４】
以下、添付図面を参照して、本発明に従うテーブルユニットの実施形態について説明する。図１は、一実施形態のテーブルユニットを車両本体に取り付けた状態を示す斜視図であり、図２は、図１のテーブルユニットのコースター及びその近傍を示す断面図である。
【００２５】
図１において、図示のテーブルユニット２は、幾分細長い支持ベーステーブル４と、この支持ベーステーブル４の右上方に配設される保持テーブル６とを備え、これら支持ベーステーブル４及び保持テーブル６は、例えば木板、合板などから形成される。支持ベーステーブルの４の両端部には一対の取付アーム８，１０が設けられ、これら取付アーム８，１０の下端部が車室空間側から車両本体に取り付けられ、かく取り付けた状態においては、図１に示すように、支持ベーステーブル４はダッシュボード１２の助手席側の部分の手前側に位置するように取り付けられ、車室内用テーブルとして用いられる。
【００２６】
この実施形態では、支持ベーステーブル４の右部には支持脚１４が三つ設けられ（図１において二つのみ示す）、これら支持脚１４を介して保持テーブル６が取り付けられている。この保持テーブル６は三つの保持孔１６，１８，２０が設けられ、右側の二つの保持孔１６，１８は円形状に形成され、これら保持孔１６，１８に、飲料用ペットボトル、飲料用コップ、飲料用缶などの容器２２（図３参照）が保持される。また、左側の一つの保持孔２０は矩形状に形成され、この保持孔２０には例えばタバコケース（図示せず）が保持される。なお、図示の例では設けていないが、保持テーブル６に携帯電話用の保持孔などを更に設けるようにしてもよい。
【００２７】
保持テーブル６の各保持孔１６，１８，２０に対応して、支持ベーステーブル４の表面にはコースター２４，２６，２８が設けられている。この形態では、円形状の保持孔１６，１８に対応して円形状のコースター２４，２６が設けられ、矩形状の保持孔２０に対応して矩形状（又は正方形状）のコースター２６が設けられている。コースター１４，２６，２８については、保持孔１６，１８，２０の形状と対応させるようにしてもよいが、必ずしも対応させる必要はなく、購入者（この場合、車両の所有者）の好みに応じて適宜の形状のものを選択するようにすることができる。
【００２８】
このようなテーブルユニット２においては、ペットボトルなどの容器２２は保持孔１６（又は１８）を通して支持ベーステーブル４のコースター２４（又は２６）上に載置され、かく載置した状態においては、容器２２の上部が保持孔１６（又は１８）に保持される。また、タバコ（図示せず）は保持孔２０を通して支持ベーステーブル４の矩形状のコースター２８に載置され、かく載置された状態では、タバコケースの上部が保持孔２０に保持される。
【００２９】
このテーブルユニット２においては、コースター２４，２６，２８の基本的構造が実質上同一であり（コースター２４，２６と残りのコースター２８とは外形のみが異なっている）、以下、それらの一つのコースター２４（又は２６，２８）及びそれに関連する構成について説明する。
【００３０】
図２を参照して、図示のコースター２４（又は２６，２８）は、容器２２が載置されるコースター本体３０と、このコースター本体３０の底面に取り付けられたベース部材３２とから構成され、コースター本体３０が中間本体部３４とこの中間本体部３４の表面に設けられた載置部３６を備えている。ベース部材３２は透明乃至半透明の合成樹脂、例えばアクリル樹脂から形成され、従って、内部を光が透過する光透過性を有しており、その底面（図２において下面）が例えば両面テープ３８を介して支持ベーステーブル４の表面に取り付けられる。
【００３１】
また、中間本体部３４はＡＢＳ樹脂などの合成樹脂から形成され、その底面が例えば両面テープ（又は接着剤）などを用いてベース部材３２の表面（図２において上面）に取り付けられる。更に、載置部３６は、ゴムなどの高摩擦材料から形成され、その底面が例えば両面テープ（又は接着剤）などを用いて中間本体部３４の表面（図２において上面）に取り付けられ、この載置部３６の表面（上面）がコースター２４（２６，２８）の載置面となる。
【００３２】
尚、載置部３６の外周部をきれいに仕上げるとともに、中間本体部３４の表面から剥がれ難くするために、中間本体部３４の外周部に環状突壁３９を設け、この環状突壁３９の内周面に径方向の環状凹部４０を設け、この環状凹部４０に載置部３６の外周部を嵌め込むようにすることもできる。
【００３３】
コースター２４の取付部に対応して、支持ベースプレート４には照明取付孔４２が設けられ、この照明取付孔４２内に照明手段４４が内蔵され、照明手段４４はベース部材３２の底面に対向してその下方に配設されている。照明手段４４は例えば発光ダイオード（ＬＥＤ）４６から構成され、発光ダイオード４６の周囲が弾性チューブ４８により覆われ、更に弾性チューブ４８の外側が熱硬化性チューブ５０により覆われている。このように二重に覆うことによって、発光ダイオード４６を保護することができるとともに、弾性チューブ４８の弾性を利用して発光ダイオード４６を照明取付孔４２内に弾性的の保持固定することができる。
【００３４】
支持ベーステーブル４とコースター２４（２６，２８）のベース部材３２との間には、照明取付孔４２を覆うように薄いフィルム５２が配設され、例えば接着剤、粘着剤などを用いてベース部材３２の底面に取り付けられる。発光ダイオード４６は白色ダイオードであり、フィルム５２は色付きフィルムであり、発光ダイオード４６からの光は色付きフィルムの色に変色される。例えば、フィルム５２が赤色（又は青色、緑色、オレンジ色など）であるときには、このフィルム５２を通すことによって、赤色（又は青色、緑色、オレンジ色など）の照明光となる。尚、白色発光ダイオード及び色付きフィルムの組合せに代えて、赤色（又は青色、緑色など）などの特定色で発光する特定色発光ダイオードを用いるようにしてもよい。
【００３５】
この実施形態では、中間本体部３４の全体が光を反射するように鏡面状の塗装が施されており、このような塗装を施すことによって、中間本体部３４に遮光性（光の透過を遮断する性質）を持たせるとともに、コースター本体３０のデザイン性を高めており、更に中間本体部３４の底面に光を反射する光反射面の機能をも持たせている。このように中間本体部３４の底面に光反射面を設けているので、発光ダイオード４６から照射された光はベース部材５２を通って中間本体部３４の光反射面で反射されるようにより、このように反射させることによって、発光ダイオード４６からの照明光を効率良く利用し、ベース部材３２から後述する如く放出される光の明るさを明るくすることができる。
【００３６】
このベース部材５２の周側面には、その全周にわたって微小の凹凸が設けられている。このように微小凹凸を設けることによって、発光ダイオード４６からベース部材３２を通る光は、これら微小凹凸によって乱反射して拡散され、ベース部材の周側面の全周から外部に効率良く放出されるようになる。このような微小凹凸は、例えば、サンドペーパーで研磨加工を施すことによって、又は樹脂成形の金型内面に加工を施して成形の際の樹脂の流れによって形成することができる。尚、この微細凹凸は、ベース部材３２の周側面に代えて、或いはこの周側面に加えてベース部材３２の底面に設けるようにしても同様の効果が達成される。
【００３７】
このようなテーブルユニット２においては、夜間などの暗いときに車両本体側のライト（図示せず）を点灯すると、ライトの点灯とともに照明手段４４としての発光ダイオード４６が点灯する（或いは、点灯、消灯を行うための専用の作動スイッチを設け、この作動スイッチを点灯操作するようにしてもよい）。このように点灯すると、発光ダイオード４６からの照明光が色付きフィルム５２、例えば赤色フィルタを通過する際に所定の色、例えば赤色光となり、この赤色光がベース部材３２の底面から内部を照射するようになる。
【００３８】
このように照射すると、ベース部材３２内を通過する照射光は、その外周面の全周から外部に放出され、発光ダイオードの照明光を利用してベース部材１２の外周面が環状に例えば赤色に照明し、この環状の赤色光によって、コースター本体３０が支持ベーステーブル４から浮き上がったように見え、車室内のインテリア性を高め、車室空間の魅力性を非常に高めることができる。
【００３９】
尚、上述した実施形態では、照明手段４４の光を利用してコースター２４，２６，２８の全てが照明光を発するように構成しているが、全てのコースター２４，２６，２８が光を発するようにする必要はなく、それらの一部については従来のコースターを用い、それらの残りのについて照明光を発するように構成することもできる。
【００４０】
次に、図３を参照して、テーブルユニットの変形形態について説明する。図３は、変形形態のテーブルユニットにペットボトルを載置保持した状態を一部断面で示す図である。尚、以下の形態において、上述した実施形態と実施上同一の部材には同一の参照番号を付し、その説明を省略する。
【００４１】
図３において、この変形形態においては、保持テーブル６の保持孔１６に保持部材６２が装着されている。保持部材６２はリング状の保持スリーブ６４を有し、この保持スリーブ６４の一端部（図３において上側端部）に径方向外方に拡がる係止フランジ６６が設けられている。また、保持スリーブ６４の一端部内周面には環状取付凹部６７が設けられ、この環状取付凹部６７に環状弾性部材６８が装着されている。この環状弾性部材６８は例えばゴムなどから形成され、その内周部は保持スリーブ６４の内周面から径方向内方に幾分突出している。
【００４２】
このような保持部材６２は、保持スリーブ６４が保持孔１６（１８）内に挿入され、その係止フランジ６６が保持テーブル６に表面に当接して係止するように取り付けられる。このような取付状態においては、保持孔１６（１８）を通して支持ベーステーブル４のコースター２４（２６）に載置されたペットボトルの如き容器２２は、保持孔１６（１８）に装着された保持部材６２の環状弾性部材６８に接触し、この保持孔１６（１８）の内周面に直接的に接触することがない。従って、車両の走行時の加速、減速、また走行中に発生する振動などによって容器２２が振動したり振れたりしても、この容器２２は環状弾性部材６８に接触乃至当接するのみであり、弾性部材６８自体の弾性によって振動、振れが吸収され、これによって、容器２２の振動などによる音の発生を抑えることができる。また、このような保持部材６２を設けることによって、テーブルユニット２のデザイン性を高めることができる。
【００４３】
次に、図４を参照して、テーブルユニットの他の変形形態について説明する。図４は、他の変形形態のテーブルユニットのコースター及びそれに関連する構成を示す断面図である。
【００４４】
図４において、この変形形態においては、各コースター２４（２６，２８）に二つの照明手段４４Ａ，４４Ｂが設けられ、これら照明手段４４Ａ，４４Ｂの照明光が相互に異なるように構成されている。照明手段４４Ａとしての発光ダイオード４６は例えば赤色に発光し、他方の照明手段４４Ｂとしての発光ダイオード４６は例えば青色に発光する。このように構成した場合、照明手段４４Ａを点灯させたときには、コースター２４（２６，２８）のベース部材３２が赤色に照明され、他方の照明手段４４Ｂを点灯させたときには、このベース部材３２が青色に照明され、このように点灯させる照明手段４４Ａ，４４Ｂを選択することによって、室内空間の雰囲気を変えることができる。
【００４５】
以上、本発明に従うテーブルユニットの実施形態について説明したが、本発明はかかる実施形態に限定されるものではなく、本発明の範囲を逸脱することなく種々の変形乃至修正が可能である。
【００４６】
例えば、上述した実施形態では、照明手段としての発光ダイオード４６が支持ベーステーブル４の照明取付孔３４内に内蔵される構成であるが、必ずしも内蔵する必要はなく、支持ベーステーブルの表面に露出して取り付けるようにしてもよい。この場合、支持ベーステーブルの表面に照明取付部が設けられ、この照明取付部に照明手段としての例えば発光ダイオードが取り付けられ、この発光ダイオードに対向するようにコースターのベース部材の周側面が配設される。このように構成しても、発光ダイオードからの照射光はベース部材の側面から内部に入り、その内部を透過して外周部の全周から外部に放出されるようになる。従って、上述した実施形態と同様に、発光ダイオードの照明光を利用してベース部材１２が環状に照明し、この環状の照明光によって、コースター本体が支持ベーステーブル４から浮き上ったように見え、車室空間のインテリア性を高めることができる。
【００４７】
また、上述した実施形態では、車室内用テーブルに適用して説明したが、このようなテーブルに限定されず、室内用のテーブル、室内用カウンターテーブルなどにも同様に適用することができる。また、図示の形態では、コースター付きのテーブルユニットとして説明したが、テーブルなどに設けられた照明手段の照明孔を利用するコースターとしてそれ単独でも用いることができる。
【図面の簡単な説明】
【００４８】
【図１】一実施形態のテーブルユニットを車両本体に取り付けた状態を示す斜視図である。
【図２】図１のテーブルユニットのコースター及びその近傍を示す断面図である。
【図３】変形形態のテーブルユニットにペットボトルを載置保持した状態を一部断面で示す図である。
【図４】他の変形形態のテーブルユニットのコースター及びそれに関連する構成を示す断面図である。
【符号の説明】
【００４９】
２  テーブルユニット
４  支持ベーステーブル
６  保持テーブル
１６，１８，２０  保持孔
２２  容器
２４，２６，２８  コースター
３０  コースター本体
３２  ベース部材
３４  中間本体部
３６  載置部
４２  照明取付孔
４４  ，４４Ａ，４４Ｂ  照明手段
４６  発光ダイオード
６２  保持部材
６８  環状弾性部材
【図１】
2005350037.tif 000003
【図２】
2005350037.tif 000004
【図３】
2005350037.tif 000005
【図４】
2005350037.tif 000006